(57)【要約】  【課題】  被加熱物の熱処理に伴って発生する生成ガスが冷却されて発生する昇華物の漏出を抑制可能な熱処理装置の提供を目的とする。  【解決手段】  熱処理装置１は、熱処理室１２、熱風供給手段１４、ダクト１７，１７によって構成される循環系統Ｓ内に空気配管６８が配された構成とされている。空気配管６８は、熱処理室１２内を流れる気体の流れ方向下流側に隣接する位置を横切り、熱処理装置１の正面側に取り回されている。空気配管６８の中途には、循環系統Ｓ内を流れる気体中に含まれる生成ガスと空気配管６８内を流れる空気との熱交換を促進するための熱交換部材９０が取り付けられている。生成ガスは、熱交換部材９０において冷却され、熱交換部材９０上で固化して捕捉される。【選択図】  図３
2006258348.tif 000002
【特許請求の範囲】
【請求項１】
気体を加熱する加熱手段と、当該加熱手段によって加熱された気体が導入され、被加熱物を収容可能な熱処理室と、当該熱処理室から流出した気体を加熱手段に戻す戻り流路と、前記熱処理室から出る気体よりも低温の熱媒体が供給される熱媒体流路とを有し、前記加熱手段と熱処理室と戻り流路とを含む気体の循環系統が形成されたものであり、
前記熱媒体流路の一部又は全部が前記循環系統内に配されており、
前記熱媒体流路の中途に、循環系統内を流れる気体と熱媒体流路内を流れる熱媒体とが熱交換可能な熱交換手段が設けられており、
当該熱交換手段が、熱媒体流路の外周面の全周あるいは一部に被さるように装着されていることを特徴とする熱処理装置。
【請求項２】
熱交換手段が、熱媒体流路の中途であって、前記熱処理室よりも循環系統内を流れる気体の流れ方向下流側の部位に装着されていることを特徴とする請求項１に記載の熱処理装置。
【請求項３】
熱処理室に被加熱物を出し入れするための換装部を有し、
熱交換手段が、熱媒体流路の中途であって、前記換装部よりも循環系統内を流れる気体の流れ方向上流側の部位に装着されていることを特徴とする請求項１又は２に記載の熱処理装置。
【請求項４】
熱交換手段が、熱媒体流路に対して装着されることにより、熱媒体流路の外側に向けて突出する熱交換片を有することを特徴とする請求項１乃至３のいずれかに記載の熱処理装置。
【請求項５】
熱交換片が、熱媒体流路の延伸方向に沿う方向に延伸していることを特徴とする請求項４に記載の熱処理装置。
【請求項６】
複数の熱交換片が、熱媒体流路の周方向に間隔を開けて設けられていることを特徴とする請求項１乃至５のいずれかに記載の熱処理装置。
【請求項７】
熱交換手段が、熱媒体流路の外周面の全周あるいは一部に被さるように装着されるベース部と、当該ベース部に対して熱伝導可能に取り付けられた熱交換片とを有することを特徴とする請求項１乃至６のいずれかに記載の熱処理装置。
【請求項８】
熱交換手段が、ベース部と熱交換片とからなる熱交換体を複数組み合わせて構成されるものであり、複数の熱交換体を一体化することにより熱媒体流路の外周の一部又は全部を包囲することを特徴とする請求項１乃至７のいずれかに記載の熱処理装置。
【請求項９】
熱媒体流路を流れる熱媒体が気体であり、
熱処理室に被加熱物を出し入れするための換装部を有し、
前記熱媒体流路の内部を流れる熱媒体を換装部に隣接する位置から噴出可能であることを特徴とする請求項１乃至８のいずれかに記載の熱処理装置。
【請求項１０】
換装部が熱処理室に連通する開口を有し、
熱媒体流路の内部を流れる熱媒体が噴出することにより気体流が形成され、
当該気体流が前記開口の開口領域の一部又は全部を横断及び／又は縦断することを特徴とする請求項９に記載の熱処理装置。
【請求項１１】
換装部を介して被加熱物を出し入れする際に被加熱物によって分割される領域Ｘ，Ｙを想定した場合に、
熱媒体流路の内部を流れる熱媒体を前記領域Ｘ側および領域Ｙ側の双方から領域Ｘ，Ｙの境界部分に向けて噴出することによって気体流を形成し、当該気体流により、気体流よりも熱処理室の内側の領域と当該領域よりも外側の領域とに分離可能であることを特徴とする請求項９又は１０に記載の熱処理装置。
【請求項１２】
熱媒体流路から噴出される気体の動圧が、熱処理室内を流れる気体の静圧以上であることを特徴とする請求項９乃至１１のいずれかに記載の熱処理装置。
【請求項１３】
換装部が熱処理室に連通する開口を有し、当該開口の周囲には、熱処理室内を流れる気体の流れを換装部側から遠ざかる方向に誘導する誘導手段が設けられていることを特徴とする請求項１乃至１２のいずれかに記載の熱処理装置。
【発明の詳細な説明】
【技術分野】
【０００１】
本発明は、基板等の被加熱物を熱風によって熱処理する熱処理装置に関する。
【背景技術】
【０００２】
従来より、下記特許文献１に開示されているような熱処理装置が液晶ディスプレイ（ＬＣＤ：Liquid Crystal Display）やプラズマディスプレイ（ＰＤＰ：Plasma Display）、有機ＥＬディスプレイ等のようなフラットパネルディスプレイ（ＦＰＤ：Flat Panel display）の製作に使用されている。熱処理装置は、予めガラス板等の基板（被加熱物）に対して特定の溶液を塗布して加熱乾燥させたものを熱処理室内に収容し、熱処理室内に導入される所定の温度の熱風に晒して熱処理（焼成）する装置である。
【特許文献１】特許第２９７１７７１号公報
【発明の開示】
【発明が解決しようとする課題】
【０００３】
従来技術の熱処理装置は、被加熱物を出し入れするための開口や隙間等があり、完全な密閉状態とはなっていないことが多い。そのため、熱処理に伴って基板上に塗布されていた特定の溶液等が気化して発生した生成ガスは、前記した開口や隙間の近傍で冷却されて固化し、いわゆる昇華物となる。昇華物は、粒子状やタール状になっており、熱処理装置内を汚染して被加熱物の品質を低下させてしまうばかりか、被加熱物の出し入れの際に熱処理装置の外部に漏出しまうという問題があった。また、従来技術の熱処理装置では、昇華物が基板の出し入れを行うためのロボットアーム等の機器類に付着してしまい、これらの機器類の動作不良を引き起こしてしまうという問題もあった。
【０００４】
上記した問題に鑑み、上記特許文献１に開示されている熱処理装置では、熱処理装置内を熱処理装置の設置雰囲気圧力よりも若干低圧に維持させることにより熱処理装置内の空気や生成ガスが外部に漏出してしまうのを防止する構成とされている。かかる構成とした場合、熱処理装置から昇華物が外部に排出されるという問題に対しては一定の効果を発揮するが、被加熱物を出し入れするための開口や隙間から流入した空気の影響によって幾分の昇華物が発生し、前記した開口や隙間から流出する可能性があった。
【０００５】
そこで、本発明では、被加熱物の熱処理に伴って発生する生成ガスが冷却されて発生する昇華物の漏出を抑制可能な熱処理装置の提供を目的とする。
【課題を解決するための手段】
【０００６】
上記した課題を解決すべく提供される請求項１に記載の発明は、気体を加熱する加熱手段と、当該加熱手段によって加熱された気体が導入され、被加熱物を収容可能な熱処理室と、当該熱処理室から流出した気体を加熱手段に戻す戻り流路と、前記熱処理室から出る気体よりも低温の熱媒体が供給される熱媒体流路とを有し、前記加熱手段と熱処理室と戻り流路とを含む気体の循環系統が形成されたものであり、前記熱媒体流路の一部又は全部が前記循環系統内に配されており、前記熱媒体流路の中途に、循環系統内を流れる気体と熱媒体流路内を流れる熱媒体とが熱交換可能な熱交換手段が設けられており、当該熱交換手段が、熱媒体流路の外周面の全周あるいは一部に被さるように装着されていることを特徴とする熱処理装置である。
【０００７】
本発明の熱処理装置では、気体の循環系統内に熱媒体流路が配されており、この熱媒体流路に熱処理室から出る気体よりも低温の熱媒体が供給される構成とされている。さらに、本発明の熱処理装置は、循環系統内に配された熱媒体流路の中途に熱交換手段が設けられているため、熱交換手段が被加熱物が加熱されることにより発生する高温の生成ガスに晒される構成とされている。そのため、本発明の熱処理装置では、熱処理室内に配された被加熱物が加熱されることにより発生する生成ガスを、熱交換手段において熱媒体流路の内部を流れる低温の熱媒体との熱交換により冷却し、固化させて捕捉することができる。従って、本発明の熱処理装置によれば、生成ガスや、これが固化したもの（いわゆる昇華物）が熱処理装置の外部に漏出するのを確実に防止できる。
【０００８】
ここで、上記した熱処理装置では、熱処理室における被加熱物の熱処理（焼成）に伴って生成ガスが発生するため、生成ガスが漏出したり、昇華物が予期せぬ部分で発生するのを防止するためには、生成ガスが熱処理室よりも下流側の部位において捕捉されることが望ましい。
【０００９】
そこで、かかる知見に基づいて提供される請求項２に記載の発明は、熱交換手段が、熱媒体流路の中途であって、前記熱処理室よりも循環系統内を流れる気体の流れ方向下流側の部位に装着されていることを特徴とする請求項１に記載の熱処理装置である。
【００１０】
かかる構成によれば、熱処理室において発生した生成ガスの大部分を、熱交換により冷却して固化させ、昇華物として捕捉することができる。よって、本発明によれば、熱処理装置から生成ガスや昇華物が漏出したり、昇華物が予期せぬ部分に付着するなどの不具合の発生を抑制することができる。
【００１１】
ここで、上記したような構成の熱処理装置の多くは、被加熱物を出し入れするための換装部を持ち、運転中に換装部を介して順次被加熱物を出し入れする構成とされている。そのため、換装部から被加熱物を出し入れ可能な構造の熱処理装置では、被加熱物の出し入れの際に換装部から外気が導入されるなどして低温になり、この付近で昇華物が発生するなどの不具合が起こる可能性がある。従って、前記したような構造の熱処理装置では、換装部よりも上流側において生成ガスを冷却して固化させ、捕捉しておくことが望ましい。
【００１２】
そこで、かかる知見に基づいて提供される請求項３に記載の発明は、熱処理室に被加熱物を出し入れするための換装部を有し、熱交換手段が、熱媒体流路の中途であって、前記換装部よりも循環系統内を流れる気体の流れ方向上流側の部位に装着されていることを特徴とする請求項１又は２に記載の熱処理装置である。
【００１３】
本発明の熱処理装置では、換装部よりも気体の流れ方向上流側の部位に熱交換手段が装着されているため、熱処理室から出た気体に含まれる生成ガスの多くは換装部に到達するまでに冷却されて固化し、熱交換手段によって捕捉される。従って、本発明によれば、換装部やこの近傍に到達する生成ガスの量を最小限に抑制でき、換装部近傍において生成ガスが固化して昇華物になるなどの不具合を解消することができる。
【００１４】
請求項４に記載の発明は、熱交換手段が、熱媒体流路に対して装着されることにより、熱媒体流路の外側に向けて突出する熱交換片を有することを特徴とする請求項１乃至３のいずれかに記載の熱処理装置である。
【００１５】
本発明の熱処理装置では、熱交換片が設けられているため、熱交換手段の熱交換面積が大きい。そのため、本発明によれば、熱交換手段において生成ガスを効率よく冷却でき、生成ガスやこれが固化した昇華物が熱処理装置の外部に漏出するのを抑制できる。
【００１６】
ここで、生成ガスを固化させて捕捉するためには、熱交換手段において熱交換に供する部分の面積を十分確保する必要がある。一方、上記したように、生成ガスが固化したいわゆる昇華物は、タール状になっていたり微粒化している。そのため、熱交換手段を清掃するのにも手間がかかる。そのため、熱交換手段は、熱交換に供する部分の面積を十分確保可能であり、清掃等のメンテナンスも容易な構成であることが望ましい。
【００１７】
そこで、かかる知見に基づいて提供される請求項５に記載の発明は、熱交換片が、熱媒体流路の延伸方向に沿う方向に延伸していることを特徴とする請求項４に記載の熱処理装置である。
【００１８】
また、同様の知見に基づいて提供される請求項６に記載の発明は、複数の熱交換片が、熱媒体流路の周方向に間隔を開けて設けられていることを特徴とする請求項１乃至５のいずれかに記載の熱処理装置である。
【００１９】
かかる構成によれば、熱交換手段において熱交換に供する部分の面積を十分確保しつつ、熱交換手段のメンテナンスが容易な熱処理装置を提供できる。
【００２０】
請求項７に記載の発明は、熱交換手段が、熱媒体流路の外周面の全周あるいは一部に被さるように装着されるベース部と、当該ベース部に対して熱伝導可能に取り付けられた熱交換片とを有することを特徴とする請求項１乃至６のいずれかに記載の熱処理装置である。
【００２１】
かかる構成によれば、熱媒体流路と熱交換手段との間における伝熱面積を大きくとることができ、生成ガスと熱媒体流路内を流れる熱媒体との熱交換効率を向上させることができる。従って、本発明によれば、被加熱物の加熱により発生する生成ガスを熱交換手段において効率よく固化させて捕捉することができ、生成ガスやこれが固化した昇華物が外部に漏出するのを確実に防止できる。
【００２２】
請求項８に記載の発明は、熱交換手段が、ベース部と熱交換片とからなる熱交換体を複数組み合わせて構成されるものであり、複数の熱交換体を一体化することにより熱媒体流路の外周の一部又は全部を包囲することを特徴とする請求項１乃至７のいずれかに記載の熱処理装置である。
【００２３】
かかる構成によれば、熱媒体流路に対して熱交換手段を容易に脱着することができる。また、上記した構成によれば、例えば昇華物の付着量が多いもののように、清掃等のメンテナンスの必要な熱交換手段のみをメンテナンスすることができる。
【００２４】
ここで、上記したように、熱処理室に対して被加熱物を出し入れするための換装部を備えた熱処理装置では、被加熱物を出し入れする際に換装部から流入した外気等の影響により、昇華物が換装部近傍に付着するおそれがある。
【００２５】
そこで、かかる知見に基づいて提供される請求項９に記載の発明は、熱媒体流路を流れる熱媒体が気体であり、熱処理室に被加熱物を出し入れするための換装部を有し、前記熱媒体流路の内部を流れる熱媒体を換装部に隣接する位置から噴出可能であることを特徴とする請求項１乃至８のいずれかに記載の熱処理装置である。
【００２６】
本発明の熱処理装置は、熱媒体流路は循環系統内に配されており、さらにこの中途に熱交換手段が装着された構成とされている。そのため、熱媒体流路内を流れる熱媒体たる気体は、循環系統内に存在する気体との熱交換により加熱される。ここで、上記したように、本発明の熱処理装置では、このようにして熱交換加熱された熱媒体を換装部に隣接する位置において噴出可能な構成とされている。そのため、本発明の熱処理装置では、換装部において被加熱物を出し入れしても、換装部やこの近傍が冷却されるのを防止できる。従って、本発明の熱処理装置では、換装部やこの近傍において昇華物が発生しにくい。
【００２７】
請求項１０に記載の発明は、換装部が熱処理室に連通する開口を有し、熱媒体流路の内部を流れる熱媒体が噴出することにより気体流が形成され、当該気体流が前記開口の開口領域の一部又は全部を横断及び／又は縦断することを特徴とする請求項９に記載の熱処理装置である。
【００２８】
かかる構成によれば、熱媒体流路から噴出された熱媒体の流れによって形成される気体流によって、換装部を介して熱処理室内の気体が流出したり、外気が熱処理室に流入するのを抑制できる。そのため、本発明の熱処理装置によれば、熱処理室内において発生した生成ガスが漏出したり、換装部近傍で冷却されて昇華物となるのを防止できる。
【００２９】
さらに、本発明の熱処理装置は、換装部から外気が流入しにくい構成であるため、被加熱物の出し入れに伴って熱処理室内の温度が不安定になるといったような不具合が発生しにくい。そのため、上記した熱処理装置によれば、熱処理室内の雰囲気温度を調整するエネルギーを最小限に抑制できる。
【００３０】
請求項１１に記載の発明は、換装部を介して被加熱物を出し入れする際に被加熱物によって分割される領域Ｘ，Ｙを想定した場合に、熱媒体流路の内部を流れる熱媒体を前記領域Ｘ側および領域Ｙ側の双方から領域Ｘ，Ｙの境界部分に向けて噴出することによって気体流を形成し、当該気体流により、気体流よりも熱処理室の内側の領域と当該領域よりも外側の領域とに分離可能であることを特徴とする請求項９又は１０に記載の熱処理装置である。
【００３１】
本発明の熱処理装置では、熱媒体流路から気体を噴出することによって形成される気体流により熱処理室の内側の領域が外側の領域から分離される。そのため、本発明の熱処理装置では、熱処理室内における被加熱物の加熱に伴って発生する生成ガスや、この気体が冷却されることにより発生するいわゆる昇華物が熱処理室から漏出しない。
【００３２】
本発明の熱処理装置では、外気が熱処理室内に殆ど進入しないため、熱処理室内に存在する生成ガスが高温に維持される。そのため、本発明の熱処理装置では、生成ガスが冷却されることにより発生するいわゆる昇華物の発生量が少ない。また、本発明の熱処理装置では、気体流によって処理室の内外の領域が分離されているため、外気や塵等が熱処理室の内側に進入できない。そのため、本発明の熱処理装置では、熱処理装置内に外気等が流入することによる熱処理室内の温度変動や、塵等の進入に伴う熱処理室内の汚染が殆ど起こらない。
【００３３】
本発明の熱処理装置では、被加熱物によって分割される領域Ｘ，Ｙの両側から気体を噴出させて気体流を形成する構成とされているため、被加熱物を出し入れしても、被加熱物が通過する部分以外では気体流が横切られることなく維持される。従って、本発明の熱処理装置は、熱処理室に対する被加熱物の出し入れを行っても熱処理室に対する気体や昇華物の流出が起こらない。
【００３４】
請求項１２に記載の発明は、熱媒体流路から噴出される気体の動圧が、熱処理室内を流れる気体の静圧以上であることを特徴とする請求項９乃至１１のいずれかに記載の熱処理装置である。
【００３５】
かかる構成によれば、熱処理室の内外を確実に分離することができる。従って、本発明によれば、被加熱物の出し入れの際に外気が流入して昇華物が発生したり、熱処理室の内部雰囲気温度が低下するのを防止できる。また、上記した構成によれば、熱処理室内で発生した生成ガスや昇華物等が外部に漏出するのを防止できる。
【００３６】
請求項１３に記載の発明は、換装部が熱処理室に連通する開口を有し、当該開口の周囲には、熱処理室内を流れる気体の流れを換装部側から遠ざかる方向に誘導する誘導手段が設けられていることを特徴とする請求項１乃至１２のいずれかに記載の熱処理装置である。
【００３７】
かかる構成によれば、換装部の開口近傍の領域に熱処理室内において発生した生成ガスを含む気体が殆ど流れ込まず、熱処理室内において発生した生成ガスや昇華物が漏出しない熱処理装置を提供できる。
【発明の効果】
【００３８】
本発明によれば、被加熱物の熱処理に伴って発生する生成ガスが冷却されて発生する昇華物の漏出を最小限に抑制可能な熱処理装置を提供できる。
【発明を実施するための最良の形態】
【００３９】
続いて、本発明の一実施形態である熱処理装置について、図面を参照しながら詳細に説明する。図１において、１は本実施形態の熱処理装置である。熱処理装置１は、金属製で箱形の本体ケース２の下方に機器収容部３が設けられており、その上方に基板処理部５が設けられた構成となっている。機器収容部３は、基板処理部５に電力を供給する電源装置（図示せず）や基板処理部５の動作を制御する制御装置（図示せず）等を内蔵している。
【００４０】
基板処理部５は、図２や図３に示すように中心に熱処理室１２を有し、その周りを空気調整部１１によって取り囲んだ構成とされている。空気調整部１１は、断熱材によって構成される周壁１３ａ〜１３ｄによって四方が包囲されている。空気調整部１１は、空気を所定温度に加熱して熱処理室１２内に吹き込むと共に、熱処理室１２から排出された空気を上流側に循環させるためのものである。
【００４１】
さらに具体的に説明すると、空気調整部１１は、図３に示すように熱風供給手段１４、ダクト１７および機器室１８に大別される。熱風供給手段１４は、空気等を加熱する加熱機能と、加熱された空気等を熱処理室１２内に送り込む送風機能とを有する。また、熱風供給手段１４は、熱処理室１２との境界部分に空気等を浄化するためのフィルタ２１を有する。ダクト１７は、熱処理室１２の周囲を包囲するように配された空気流路である。熱風供給手段１４およびダクト１７，１７は、熱処理室１２と組み合わさって一連の気体の循環系統Ｓを形成している。すなわち、循環系統Ｓは、熱風供給手段１４から熱処理室１２およびこの側方に設けられたダクト１７，１７を通過し、熱風供給手段１４に戻る系統である。
【００４２】
熱処理室１２は、熱風供給手段１４との境界をなす上流壁２０および仕切壁４１，４３によって取り囲まれた空間である。熱処理室１２の略中央部には、図２や図３に示すように基板Ｗを載置するための載置棚７０が配置されている。載置棚７０は、従来公知の熱処理装置において採用されているものと同様に基板Ｗを載置するための段を多数有している。載置棚７０は、図示しない昇降装置に接続されており、必要に応じて熱処理室１２内で上下動できる。また、図１や図２に示すように、熱処理室１２の正面側には換装部６が設けられている。換装部６は、ロボットアーム等の移載装置（図示せず）によって基板Ｗ（被加熱物）を出し入れするために設けられている。
【００４３】
さらに具体的に説明すると、熱処理室１２の正面側に設けられた周壁１３ｂには、図５に示すように上下方向に複数（本実施形態では４つ）の開口４０が形成されている。また、周壁１３ｂに対して平行に配されている仕切壁４１には、周壁１３ｂの開口４０に対向する位置に開口５０が設けられている。仕切壁４１の裏面側、すなわち熱処理室１２側には、遮蔽板４４が固定されている。
【００４４】
遮蔽板４４は、開口５０の一部を遮蔽する板状の部材であり、換装部６と熱処理室１２との境界部分に配されている。遮蔽板４４は、図６に示すように開口４０や開口５０と同様に、熱処理室１２の幅方向（図１において横方向）に長細い基板挿通孔４４ａと、基板挿通孔４４ａの下方に設けられた２つのハンド挿通孔４４ｂ，４４ｂとが連なった挿通孔４４ｃを有する。挿通孔４４ｃは、熱処理室１２と換装部６とを繋ぐ開口領域のうち最も熱処理室１２側に存在する部分である。
【００４５】
基板挿通孔４４ａは、図６（ｂ）に示すように熱処理室１２に対して基板Ｗを出し入れするための開口部であり、基板Ｗの幅および厚みよりもやや大きめの開口である。また、ハンド挿通孔４４ｂ，４４ｂは、基板Ｗの出し入れの際に基板Ｗを下方から支持するロボットハンド４２を抜き差しするための開口である。基板挿通孔４４ａは、仕切壁４１に設けられた開口５０の開口領域を、ロボットハンド４２によって基板Ｗを出し入れするのに必要最低限な大きさに絞り、熱処理室１２側から生成ガス等が漏出するのを防止するために設けられている。遮蔽板４４は、開口４０および開口５０の上下方向略中央位置に基板挿通孔４４ａが位置するように仕切壁４１に対して固定されている。
【００４６】
図５に示すように、周壁１３ｂと仕切壁４１との間には、隔壁４７ａ，４７ｂが固定されている。隔壁４７ａ，４７ｂは、それぞれ周壁１３ｂと仕切壁４１とを橋渡すように固定されるものである。これにより、熱処理装置１の正面側には、開口４０から開口５０に繋がり、周壁１３ｂと仕切壁４１との間に形成されたダクト１７から隔絶された換装部６が形成される。
【００４７】
周壁１３ｂの開口４０には、エアシリンダー８の作動に連動して動作するシャッター１０が装着されている。シャッター１０は、上下にスライドするものや、内側あるいは外側に向けて開くもの等から適宜選択される。
【００４８】
熱処理室１２内には、図３や図４に示すように空気配管６８が設けられている。空気配管６８は、外部の空気供給源（図示せず）から圧送されてくる空気が流れる流路である。空気配管６８は、熱処理室１２およびダクト１７内において引き回された後、空気の流れ方向下流側の端部がダクト１７内に開放されている。さらに具体的には、空気配管６８は、熱処理室１２の背面側であって、熱処理室１２内を流れる熱風の最下流側に相当する位置の底面から熱処理室１２内に立ち上がり、４つの分岐配管６８ａ〜６８ｄに分岐されている。空気配管６８の分岐配管６８ａ〜６８ｄは、それぞれ熱処理室１２の最下流側の部位を横切り、熱処理室１２の正面側に形成されたダクト１７側に引き回されている。空気配管６８は、下流端がダクト１７内に存在し、ダクト１７内に空気を放出可能な構成とされている。
【００４９】
空気配管６８を流れる空気は、熱処理室１２の外部から供給される空気であり、基板Ｗの熱処理に影響を与えない程度に清浄化されたものである。空気配管６８を流れる空気は、熱処理装置１が設置されているクリーンルーム等の室温程度（約２０℃程度）の温度である。そのため、空気配管６８内を流れる空気の温度は、基板Ｗの焼成動作の実施温度（本実施形態では約２３０〜２５０℃程度）よりも十分低温である。
【００５０】
図４に示すように、空気配管６８は、分岐配管６８ａ〜６８ｄの中途に熱交換部材９０が取り付けられた構造となっている。熱交換部材９０は、図７や図８に示すように、２つの熱交換体９１，９１を一体化して使用されるものである。
【００５１】
熱交換体９１は、図８に示すように断面形状が半円状のベース部９２と、ベース部９２の外周面９２ａから径方向外側に向けて放射状に突出した熱交換片９３とが一体化された構成となっている。ベース部９２は、内周面９２ｂ、すなわち熱交換片９３の突出方向とは逆側の面の曲率が空気配管６８の外周面と略合致するように湾曲している。本実施形態では、空気配管６８が円筒形であるため、熱交換体９１，９１を組み合わせた際にベース部９２，９２が一体となり円筒形となるように成形されている。また、図９に示すように、ベース部９２の内接円の半径ｒが空気配管６８の外接円の半径Ｒと同一になるように成形されている。そのため、図７に示すように、熱交換体９１，９１を空気配管６８の外側から被せて一体化すると、ベース部９２，９２が空気配管６８の外周面にほぼ隙間無く密着する。
【００５２】
熱交換片９３は、ベース部９２と同様に、ステンレス鋼等のような熱伝導特性に優れた材質で作成された短冊状の板体である。熱交換片９３は、図７〜図９に示すように、ベース部９２の外周面９２ａ側に溶接等の手法により伝熱可能なように取り付けられており、ベース部９２の長手方向に向けてまっすぐに延伸している。本実施形態において、熱交換片９３は、ベース部９２の外周に４枚取り付けられている。
【００５３】
熱交換片９３は、図９のように熱交換体９１を断面視した場合に、ベース部９２の周方向両端部からベース部９２の径方向外側に向けて延出したもの（以下、必要に応じて熱交換片９３ａ，９３ｂと称す）と、ベース部９２の周方向中間部に設けられたもの（以下、必要に応じて熱交換片９３ｃ，９３ｄと称す）とがある。熱交換片９３ａ〜９３ｄは、いずれも熱交換を促進するための部材として機能するものである。熱交換片９３ａ，９３ｂには、それぞれネジ９５を装着するためのネジ穴９６が設けられている。熱交換部材９０は、熱交換体９１，９１を被せ、熱交換片９３ａ，９３ａあるいは熱交換片９３ｂ，９３ｂにわたってネジ９５を装着することにより、空気配管６８に対して着脱可能なように固定される。
【００５４】
上記したように、空気配管６８には、外部の空気供給源から空気を圧送する。空気配管６８を介して外部から供給された直後の空気は、熱処理室１２内の雰囲気温度よりも低温である。さらに具体的には、本実施形態の熱処理装置１は、基板Ｗの焼成動作中に熱処理室１２内の雰囲気温度が約２３０℃〜２５０℃程度に調整される。一方、空気配管６８を介して外部から圧送されてくる空気は、室温と同程度の温度である。
【００５５】
ここで、上記したように、空気配管６８は、熱処理室１２の底面から熱処理室１２内に立ち上がる立ち上がり部分から、４つの分岐配管６８ａ〜６８ｄに分岐された構成とされている。そのため、分岐配管６８ａ〜６８ｄに分流する空気は、熱処理室１２内に導入されたばかりの空気であり、熱処理室１２の内部雰囲気温度よりも大幅に低温であるものと想定される。本実施形態の熱処理装置１では、基板Ｗの焼成動作中における熱処理室１２の雰囲気温度が約２３０℃〜２５０℃とされるのに対して、分岐配管６８ａ〜６８ｄを流れる空気の温度が室温程度（約２０℃）である。そのため、分岐配管６８ａ〜６８ｄの内外において、約２１０℃〜２３０℃程度の温度差がある。
【００５６】
さらに、上記したように、各分岐配管６８ａ〜６８ｄの中途には、熱交換部材９０が取り付けられている。分岐配管６８ａ〜６８ｄは、図３等に示すように、熱処理室１２の下流側を横断するように配されている。そのため、熱処理室１２を通過したばかりの熱風や、基板Ｗの熱処理（焼成）に伴って発生したばかりの高温の生成ガスが分岐配管６８ａ〜６８ｄに取り付けられた熱交換部材９０の熱交換片９３やベース部９２に触れ、冷却される。これにより、熱処理室１２において発生した生成ガスの大部分が、熱交換部材９０の表面において固化し、タール状あるいは粒子状の昇華物となって付着する。すなわち、熱処理に伴って発生した生成ガスの大部分が、熱交換部材９０によって昇華物の形態で捕捉される。
【００５７】
また、分岐配管６８ａ〜６８ｄ内を流れ、生成ガスとの熱交換により加熱された空気は、ダクト１７内に放出され、熱処理室１２からダクト１７内に流入した熱風等と共に熱風供給手段１４側に送り込まれる。すなわち、熱処理室１２を通過してきた熱風の温度は熱交換部材９０における熱交換によりある程度低下するが、その分の熱エネルギーは清浄な空気に取り込まれて熱風供給手段１４に供給され、熱処理に使用される。そのため、熱処理装置１では、熱交換部材９０において熱交換を行っても、熱エネルギーの無駄が発生しない。
【００５８】
図２に示すように、熱処理室１２の背面側には、メンテナンス時に使用する扉７が設けられている。仕切壁４３は、扉７に相当する位置に固定されており、メンテナンス等を行う際に必要に応じて取り外し可能な構成とされている。そのため、扉７や仕切壁４３を取り外すことにより、空気配管６８の分岐配管６８ａ〜６８ｄに取り付けられた熱交換部材９０を着脱することができ、ベース部９２や熱交換片９３の表面に付着した昇華物を取り除くことができる。
【００５９】
上記したように、熱処理装置１は、循環系統Ｓ内に空気配管６８やこの分岐配管６８ａ〜６８ｄが配されている。また、空気配管６８やこの分岐配管６８ａ〜６８ｄには、熱処理室１２の雰囲気温度よりも低温の空気が供給される。さらに、熱処理装置１は、熱処理室１２の下流側に隣接する位置を横切る分岐配管６８ａ〜６８ｄに熱交換部材９０が取り付けられており、基板Ｗの熱処理に伴って発生した生成ガスを冷却して固化させ、熱交換片９３等に付着させて捕捉することが可能な構成とされている。従って、熱処理装置１は、生成ガスや昇華物が漏出したり、昇華物が予期せぬ部分に付着するなどの不具合が殆ど起こらない。
【００６０】
また、熱処理装置１において、熱交換部材９０は、基板Ｗを出し入れするための換装部６よりも循環系統Ｓ内を流れる気体の流れ方向上流側の部位に装着されている。そのため、熱処理室１２において発生した生成ガスの大部分は、換装部６に到達するまでに熱交換部材９０によって固化され、捕捉される。従って、熱処理装置１では、換装部６やこの近傍に到達する生成ガスの量が少なく、換装部６近傍の予期せぬ部分に昇華物が付着するといった不具合が起こりにくい。
【００６１】
上記したように、熱交換部材９０は、空気配管６８やこの分岐配管６８ａ〜６８ｄの外周面に取り付けられることにより、空気配管６８等の径方向外側に向けて突出する熱交換片９３を有している。そのため、熱交換部材９０は、熱交換に供する部分の面積が大きく、生成ガスと空気配管６８等の内部を流れる低温の空気とが効率よく熱交換できる。
【００６２】
上記実施形態の熱交換部材９０を構成する熱交換体９１は、ベース部９２の延伸方向に伸びる熱交換片９３を複数取り付けた構成であったが、本発明はこれに限定されるものではなく例えば図３１に示す熱交換体１３０のように、ベース部９２の外周に円弧状の熱交換片１３１を取り付け、熱交換片１３１をベース部９２の延伸方向に並べて取り付けた構成のものであってもよい。
【００６３】
上記したように、熱交換体９１において、熱交換片９３は、それぞれ熱交換部材９０の延伸方向に沿って延伸している。さらに、熱交換片９３は、空気配管６８等の周方向に所定の間隔を開けて設けられている。そのため、熱交換体９１，９１を組み合わせて構成される熱交換部材９０は、例えば図３１に示す熱交換体１３０のように円弧状の熱交換片１３１をベース部９２の延伸方向に並べて取り付けた構成とした場合に比べて熱交換片９３の清掃が容易である。
【００６４】
上記したように、熱交換部材９０は、熱交換体９１，９１を組み合わせることによりベース部９２，９２が分岐配管６８ａ〜６８ｄの全周に被さる構成とされている。また、熱交換片９３は、それぞれベース部９２に対して熱伝導可能なように取り付けられている。そのため、熱交換部材９０は、分岐配管６８ａ〜６８ｄとの伝熱面積が大きく、生成ガスと分岐配管６８ａ〜６８ｄ内を流れる空気との熱交換効率が高い。また、熱交換部材９０は、熱交換体９１，９１を組み合わせて構成されるため、分岐配管６８ａ〜６８ｄや空気配管６８に対して容易に脱着することができる。
【００６５】
ここで、上記したように、熱処理装置１は、換装部６よりも循環系統Ｓ内を流れる気体（空気や生成ガス）の流れ方向上流側に熱交換部材９０を設け生成ガスを固化して捕捉するものであるため、換装部６近傍を流れる気体中には生成ガスが殆ど含まれていない可能性が高い。しかし、熱処理装置１では、基板Ｗを出し入れする際に、シャッター１０が開くと、周壁１３ｂに設けられた開口４０や遮蔽板４４に設けられた挿通孔４４ｃ等によって構成される換装部６を介して熱処理室１２が熱処理装置１の外部に直接連通した状態になる。そのため、熱処理装置１では、熱処理室１２内に存在する生成ガスが換装部６を介して熱処理装置１の外部に漏出したり、換装部６を介して熱処理室１２内に流入する外気等の影響により換装部６の近傍が昇華物で汚染されるなどしてしまう可能性がある。
【００６６】
そこで、換装部６から昇華物や生成ガスが漏出したり、換装部６が昇華物で汚染されるのを防止すべく、上記した熱処理装置１は、図１０や図１１に示すように、熱処理室１２とダクト１７とを仕切る仕切壁４１に設けられた挿通孔４４ｃの開口部分の側方に空気配管６８の分岐配管６８ａ〜６８ｄの端部を配した構成としてもよい。かかる構成とすれば、図１２（ａ）にハッチングで示すように、挿通孔４４ｃの裏側、すなわち熱処理室１２側の領域に挿通孔４４ｃを横切る空気流（エアカーテンＭ）が形成され、これにより熱処理室１２の内外が分断される。そのため、図１２（ｂ）に示すように熱処理室１２に対する基板Ｗの出し入れを行うことによりエアカーテンＭが遮られても、挿通孔４４ｃのうち基板Ｗの表面（図１２において上方側の面）よりも上方側の開口領域、および基板Ｗの裏面（図１２において下方側の面）よりも下方側の開口領域は、エアカーテンＭによって熱処理室１２の内側と外側とが遮断された状態に維持される。従って、分岐配管６８ａ〜６８ｄの開口端を挿通孔４４ｃの側方に配することにより、基板Ｗの出し入れを行っても熱処理室１２内から生成ガスや昇華物が漏出するのを抑制できる。
【００６７】
さらに、上記したように、空気配管６８内を流れる空気は、分岐配管６８ａ〜６８ｄに設けられた熱交換部材９０において熱交換加熱される。また、空気配管６８は、熱処理室１２内において引き回されているため、熱交換部材９０以外の部分を通過する間にも熱交換によって加熱される。そのため、分岐配管６８ａ〜６８ｄの端部から挿通孔４４ｃの側方に吹き出される空気は、熱交換により加熱されている。よって、図１０等に示すような構成とした場合は、基板Ｗの出し入れのために換装部６が開閉しても、挿通孔４４ｃ近傍がさほど低温にならない。従って、上記したように挿通孔４４ｃに隣接する位置に空気配管６８から空気を排出する構成とすれば、挿通孔４４ｃをはじめとする換装部６において生成ガスが冷却されるのを防止できると共に、これに伴って発生した昇華物が換装部６に付着したり、換装部６から漏出するのを防止できる。
【００６８】
また、上記したようにエアカーテンＭを形成する構成とすると、基板Ｗの出し入れの際に換装部６が開閉しても熱処理室１２の内外における空気や生成ガス、昇華物等の出入りがないため、熱処理室１２内の内部温度の変動が少ない。従って、エアカーテンＭにより基板挿通孔４４ａを遮蔽する構成とすれば、熱処理室１２の内部温度を安定化するのに要する消費エネルギーを最小限に抑制でき、基板Ｗの焼成不良等の不具合が起こりにくい。
【００６９】
上記したように、エアカーテンＭを形成する場合は、基板Ｗの出し入れの際に基板ＷがエアカーテンＭを形成する空気に晒されるが、この空気は、熱交換部材９０における熱交換等により、空気配管６８を流れる間に加熱され、熱処理室１２の内部雰囲気と同程度の温度にされている。そのため、基板Ｗを熱処理室１２に出し入れすることにより、基板Ｗに対して作用する熱的ストレスが小さい。
【００７０】
上記したように、遮蔽板４４の裏面側（熱処理室１２側）に幕状の空気流（エアカーテンＭ）を形成して熱処理室１２の内外における空気やガスの交流を遮断するためには、分岐配管６８ａ〜６８ｄから噴出される空気流の流量が、熱処理室１２内を流れる熱風や生成ガスの流速と同等、あるいは、それ以上であることが望ましい。また、分岐配管６８ａ〜６８ｄから噴出される空気の動圧は、熱処理室１２内を流れる空気や生成ガスの静圧よりも高いことが望ましい。本実施形態では、熱処理室１２内を約１．８×１０5［リットル／分］程度の空気や生成ガスが流れるのに対して、分岐配管６８ａ〜６８ｄから約１．６×１０2〜３．２×１０2［リットル／分］程度の流量で清浄な空気が噴出される。また、分岐配管６８ａ〜６８ｄから噴出される空気の動圧は、熱処理室１２内を流れる空気や生成ガスの静圧よりも高い。そのため、熱処理装置１では、エアカーテンＭにより、熱処理室１２内を流れる空気等が換装部６に流れ込むのを確実に阻止することができる。
【００７１】
図１０〜図１２に示す例では、分岐配管６８ａ〜６８ｄの開放端をそのまま挿通孔４４ｃの開口領域に隣接する位置に配する例を例示した。かかる構成とする場合、分岐配管６８ａ〜６８ｄの開口領域に相当する部分における空気流の密度に比べ、これよりも外周側の部分は空気流の密度が低くなるものと想定される。そこで、かかる知見に基づき、図１３に示すように分岐配管６８ａ〜６８ｄの下流端に空気噴出用の小孔８５ａを多数設けたエアノズル８５を取り付けた構成としてもよい。かかる構成によれば、小孔８５ａから噴出する空気が挿通孔４４ｃの開口領域の略全体を横断する。そのため、図１３に示すような構成とすれば、図１４にハッチングで示すように挿通孔４４ｃの開口領域の略全領域を略均等にエアノズル８５から噴出される空気流が横断する。従って、図１３に示すように、分岐配管６８ａ〜６８ｄの開放端にエアノズル８５を取り付けた構成とすれば、熱処理室１２の内外をより一層確実にエアカーテンＭによって分断でき、基板Ｗの出し入れに伴って生成ガスや昇華物が漏出したり、換装部６に昇華物が付着するのを防止できる。
【００７２】
図１０〜図１４に示す例では、挿通孔４４ｃに対して、熱処理室１２内を流れる熱風等の流れ方向下流側に分岐配管６８ａ〜６８ｄやエアノズル８５が存在する例を例示したが、本発明はこれに限定されるものではなく、例えば分岐配管６８ａ〜６８ｄの一部又は全部やエアノズル８５が熱風等の流れ方向上流側に配された構成とされてもよい。
【００７３】
また、熱処理装置１は、分岐配管６８ａ〜６８ｄのように熱処理室１２内を流れる熱風等の流れ方向下流側から上流側に向けて空気を噴出可能な流路に加えて、上流側から下流側に向けて空気を噴出可能な流路を形成し、双方の流路にエアノズル８５を取り付けた構成としてもよい。熱処理室１２内を流れる熱風等の流れ方向上流側から下流側に向けて空気を噴出するための流路は、例えば図１５に示すように、分岐配管６８ａ〜６８ｄを中途でさらに分岐してもよく、分岐配管６８ａ〜６８ｄと同様の流路を別途挿通孔４４ｃの上流側に別途配してもよい。かかる構成によれば、基板挿通孔４４ａの長手方向両端側から空気流を発生させることができ、エアカーテンＭを形成する空気流の密度や流速を部位によらず均一化することができる。
【００７４】
ここで、従来技術の熱処理装置の多くは、図１６に示す熱処理装置２００のように、分岐配管６８ａ〜６８ｄ等が設けられておらず、換装部６と熱処理室１２とが連通した構造とされている。そのため、熱処理装置２００の熱処理室１２内において矢印Ａで示すように気流が発生している状態で換装部６が開くと、図１６に矢印Ｂで示すように熱処理室１２内を流れる空気等の流れ方向上流側では外気が巻き込まれ、下流側では矢印Ｃで示すように熱処理室１２内に存在する生成ガスや昇華物等を外部に排出するような気流が発生する可能性がある。よって、このような気流が発生することが想定される場合は、熱処理室１２を流れる熱風の流れ方向上流側よりも下流側近辺に換装部６と熱処理室１２とを遮断するエアカーテンを形成することが望ましい。従って、上記したように基板挿通孔４４ａの上流側および下流側に隣接する位置にエアノズル８５，８５を設ける場合は、下流側に配されるエアノズル８５から噴出される空気流の圧力や空気量を上流側に配されたエアノズル８５から噴出される空気流よりも大きく設定することにより、熱処理室１２内を流れる空気等が外部に漏出するのを確実に防止できる。
【００７５】
図１０〜図１５に示す例では、挿通孔４４ｃに対して熱処理室１２内を流れる熱風等の流れ方向に隣接する位置、すなわち挿通孔４４ｃの長手方向の端部に隣接する位置から熱風の流れ方向（挿通孔４４ｃの長手方向）に沿う方向に分岐配管６８ａ〜６８ｄを介して供給される空気を噴出する構成を例示したが、本発明はこれに限定されるものではなく、例えば図１７〜図２０に示すように挿通孔４４ｃの上下から上下方向に空気を噴出させてエアカーテンＣを形成する構成とすることも可能である。
【００７６】
さらに具体的に説明すると、図１７〜図２０に示す例では、各分岐配管６８ａ〜６８ｄが分岐管６９によって分岐され、挿通孔４４ｃの上下に配されたエアノズル６５，６６に接続される。エアノズル６５，６６は、それぞれ遮蔽板４４に設けられた基板挿通孔４４ａの長手方向に沿って延伸した配管に複数のエア噴出孔６７を設けたものである。エア噴出孔６７は、いずれも換装部６を介して出入りする基板Ｗ側を向くように配されている。
【００７７】
さらに具体的には、換装部６の上方側に配されているエアノズル６５のエア噴出孔６７は、下方に向けて空気を噴出可能なように形成されている。そのため、エアノズル６５から空気が噴出されると、図１９にハッチングで示すように、基板挿通孔４４ａの上方の領域Ｘから下方（仮想平面Ｈ側）に向かって空気が流れるエアカーテンＣ１が形成される。エアカーテンＣ１を構成する空気の一部は、仮想平面Ｈを越えて下方の領域まで到達する。
【００７８】
また、換装部６の下方側に配されているエアノズル６６のエア噴出孔６７は、上方に向けて空気を噴出可能なように形成されている。そのため、エアノズル６６から空気が噴出されると、図１９にハッチングで示すように基板挿通孔４４ａの下方の領域Ｙから上方（仮想平面Ｈ側）に向かって空気が流れるエアカーテンＣ２が形成される。エアカーテンＣ２を構成する空気は、一部が仮想平面Ｈを越えて上方の領域まで到達する。よって、エアカーテンＣは、仮想平面Ｈ近傍においてエアカーテンＣ１とエアカーテンＣ２とが重複している。
【００７９】
上記したように、エアカーテンＣは、挿通孔４４ｃの上方に形成されるエアカーテンＣ１と、挿通孔４４ｃの下方に形成されるエアカーテンＣ２とによって構成されている。また、図１９に示すように、エアカーテンＣ１とエアカーテンＣ２との重複部分を仮想平面Ｈが通過する。そのため、換装部６を介して基板Ｗを出し入れする際に、遮蔽板４４の基板挿通孔４４ａを基板Ｗが通過しても、基板Ｗの表面側（上方側の面よりも上方）および裏面側（下方側の面よりも下方）の双方にエアカーテンＣ１，Ｃ２が形成された状態を維持する。すなわち、エアノズル６５，６６から噴出される空気によって形成されるエアカーテンＣは、基板Ｗの出し入れを行っても基板Ｗの通過部分以外では遮られない。そのため、図２０に矢印で示すように基板Ｗから上方あるいは下方に離れた位置に熱処理室１２内を流れる空気や生成ガスの流れが到達しても、これらの流れはエアカーテンＣ１，Ｃ２によって遮られ、外部に漏出しない。また同様に、熱処理室１２の外部に存在する外気についても、エアカーテンＣ１，Ｃ２によって流れが遮られ、熱処理室１２の内部に進入できない。
【００８０】
さらに、上記したような構成とすると、図２０に矢印で示すように、基板ＷがエアカーテンＣに差し掛かった際に、エアノズル６５，６６から基板Ｗに向けて噴出された空気流が基板Ｗの表面あるいは裏面側において跳ね返って渦流となる。そのため、熱処理装置１では、基板Ｗの表面および裏面の近傍は、エアノズル６５，６６から噴出された空気の密度が高く、熱処理室１２内を流れる空気や生成ガスが流出したり、外気が熱処理室１２側に進入する余地が殆どない。従って、熱処理装置１では、基板Ｗの出し入れを行っても熱処理室１２内を流れる生成ガスを含む熱風が外部に漏出したり、外気が熱処理室１２内に進入するといった不具合が発生しない。さらに、熱処理装置１では、換装部６を介して熱処理室１２内に外気が流入することによって熱処理室１２内の雰囲気温度が不安定になったり、熱処理室１２内に存在する生成ガスの冷却に伴う昇華物の発生が起こりがたい。
【００８１】
また、エアノズル６５，６６から噴出される空気は、分岐配管６８ａ〜６８ｄに設けられた熱交換部材９０において熱交換加熱されたものであり、ある程度の高温になっている。そのため、エアノズル６５，６６から空気が噴出されたり、基板Ｗを出し入れするために換装部６が開閉したりしても、挿通孔４４ｃ近傍はさほど低温にならない。従って、上記したような構成によれば、生成ガスや昇華物が換装部６から漏出するのを防止できると共に、挿通孔４４ｃ近傍において昇華物が発生するのを防止できる。
【００８２】
上記実施形態では、挿通孔４４ｃの左右に隣接する位置に分岐配管６８ａ〜６８ｄの下流端やエアノズル８５，８５を配したり、挿通孔４４ｃの上下に隣接する位置にエアノズル６５，６６を配した構成を例示したが、本発明はこれに限定されるものではなく、例えば図２１に示すように、エアノズル６５，６６とエアノズル８５，８６とを組み合わせ、換装部６の挿通孔４４ｃの四方から清浄な空気を噴射させてエアカーテンを形成する構成とされてもよい。
【００８３】
また、熱処理装置１は、エアノズル６５，６６，８５，８６のうちのいくつかを選択して組み合わせ、挿通孔４４ｃの周囲に配した構成とされてもよい。さらに具体的には、熱処理装置１は、例えばエアノズル６５，６６，８６を組み合わせて挿通孔４４ｃの周囲に配した構成とされてもよい。かかる構成とすることによっても、熱処理室１２と換装部６との間における空気や生成ガス、昇華物等の出入りを防止することができる。
【００８４】
熱処理装置１は、載置棚７０の基板Ｗを載置するための段の位置にあわせて多数の換装部６を設け、それぞれの換装部６に対して分岐配管６８ａ〜６８ｄや、エアノズル６５，６６等を配した構成としてもよい。また、熱処理装置１は、基板Ｗを出し入れすべき位置にあわせて換装部６が上下動する構成としてもよい。かかる構成とした場合は、換装部６の上下動にあわせてエアノズル６５，６６が上下動する構成としたり、換装部６が上下動する範囲の上方側や下方側にエアノズル６５，６６を配した構成とすることが望ましい。
【００８５】
上記した熱処理装置１は、熱交換部材９０において生成ガスを固化させて昇華物を回収する構成のものや、昇華物の回収に伴って加熱された空気を利用してエアカーテンＭやエアカーテンＣを形成し、昇華物の漏出を防止する構成のものであった。しかし、本発明はこれに限定されるものではない。さらに具体的には、熱処理装置１は、例えば熱交換部材９０において昇華物を回収すると共に、挿通孔４４ｃに隣接する位置に図２２および図２３に示すように翼状で、熱処理室１２内を流れる熱風や生成ガスの流れを案内する案内板１０１，１０２を取り付けた構成としてもよい。かかる構成によれば、案内板１０１，１０２によって図１６に矢印Ｂや矢印Ｃで示すような気体の流出入を低減することができ、基板Ｗの出し入れの際に生成ガスや昇華物が漏出するといった不具合の発生を抑制できる。
【００８６】
また、上記実施形態において採用されている熱交換部材９０は、２つの熱交換体９１，９１を空気配管６８に対して被せた後、ネジ止めすることにより、空気配管６８に対して密着するように装着されるものであったが、本発明はこれに限定されるものではなく、例えば図２４および図２５に示すように、熱交換体９１，９１同士をヒンジ９７で繋いだ構成とし、図２５（ａ），（ｂ）に示すようにして挟み込んで装着してもよい。かかる構成とすれば、熱交換部材９０を容易に装着することができる。
【００８７】
上記実施形態において、熱交換部材９０は、ベース部９２によって空気配管６８の外面を全周にわたって包囲する構成であったが、本発明はこれに限定されるものではなく、例えば図２６に示すように空気配管６８の外周に沿う形状で長尺のベース部９８に対して熱交換片９３を固定した熱交換部材９９のようなものを、磁石等を用いて空気配管６８に取り付けた構成としてもよい。かかる構成とした場合についても、熱交換部材９９において生成ガスを冷却し、昇華物を十分捕捉することができる。また、図２６に示すように、複数の熱交換部材９９を空気配管６８の外周に取り付ける構成とした場合は、熱交換部材９９毎に着脱することができる。そのため、熱交換部材９９を採用すれば、昇華物の付着量の多いものだけを取り外して清掃や交換を行えるため、熱処理装置１のメンテナンスがより一層簡略化される。
【００８８】
また、熱交換部材９０は、熱交換体９１，９１を組み合わせることにより空気配管６８や分岐配管６８ａ〜６８ｄの全周を包囲するものであったが、図２６に示す熱交換部材９９を採用する場合のように、空気配管６８等の外周の一部においてベース部９８によって包囲されない部分があってもよい。また逆に、ベース部９８は、複数の熱交換部材９９を空気配管６８等の周方向に並べて取り付けることにより空気配管６８等の外周全体にわたって包囲可能な大きさとされてもよい。
【００８９】
さらに、熱交換部材９０は、熱交換体９１，９１をネジ止めして一体化することにより発生する締結力により空気配管６８の外周にぴったりと面接触する構成であったが、本発明はこれに限定されるものではなく、例えば図２７（ａ）に示す熱交換部材１２０のように断面形状が略Ｃ字形の筒状体であり、径方向に弾性を有するものをベース部１２１にして熱交換片９３を装着した構成であってもよい。さらに具体的には、熱交換部材１２０は、ベース部１２１の内径が空気配管６８等の外径と略同一とされている。ベース部１２１は、図２７（ｂ）に矢印で示すように、ベース部１２１の開放端１２１ａ，１２１ａを空気配管６８や分岐配管６８ａ〜６８ｄの外周から押しつけると、ベース部１２１は、空気配管６８等の外周面に沿うように押し広げられる。図２７（ｃ）のように、熱交換部材１２０が、ベース部１２１の内側に空気配管６８や分岐配管６８ａ〜６８ｄが納まるまで押し込まれると、ベース部１２１は元の径に戻る。これにより、ベース部１２１が空気配管６８等の外周の大部分を包囲し、ベース部１２１の内周面と空気配管６８等の外周面とがぴったりと接触した状態になる。
【００９０】
上記した熱交換部材１２０は、空気配管６８等にベース部１２１の開放端１２１ａを押し当てて空気配管６８の径方向に押し込んだり、空気配管６８から離反する方向に引き抜くだけ空気配管６８等に対して着脱することができる。そのため、熱交換部材１２０は、空気配管６８等に対する着脱が容易であり、メンテナンス等を実施しやすい。
【００９１】
また、熱交換部材１２０は、ベース部１２１が径方向への弾性変形可能なものであるため、ベース部１２１と空気配管６８等の密着性がよい。そのため、熱交換部材１２０は、ベース部１２１と空気配管６８等との間における熱交換効率が高い。従って、熱交換部材１２０を採用した場合も、熱交換部材９０等を採用した場合と同様に生成ガスを効率よく冷却して固化させることができる。
【００９２】
上記実施形態では、熱処理室１２に対して熱風や生成ガスの流れ方向下流側に隣接する位置を横切る分岐配管６８ａ〜６８ｄに熱交換部材９０を装着した例を例示したが、本発明はこれに限定されるものではなく、例えば図２８に示すように空気配管６８の立ち上がり部分、換言すれば分岐配管６８ａ〜６８ｄよりも空気配管６８内を流れる空気の流れ方向上流側に隣接する位置に熱交換部材９０や熱交換部材９９を装着した構成としてもよい。また、熱交換部材９０は、図２９に示すように分岐配管６８ａ〜６８ｄのうち、熱処理装置１の正面側（換装部６側）に取り回された部分に装着されてもよい。
【００９３】
さらに、上記実施形態では、空気配管６８が熱処理室１２の下流側の底面から熱処理室１２内に立ち上がり分岐される構成とされていたが、例えば図３０のように、空気配管６８や分岐配管６８ａ〜６８ｄを熱処理装置１の背面側（扉７側）から正面側に取り回した構成とされていてもよい。かかる構成とする場合は、熱処理装置１の背面側にも熱交換部材９０や熱交換部材９９を装着することができる。なお、空気配管６８やこの分岐配管６８ａ〜６８ｄを熱処理装置１の正面側や背面側に取り回す場合、これらの配管は、熱処理室１２の内側に配されていても、熱処理室１２の外側に設けられたダクト１７内に配されていてもよい。
【００９４】
すなわち、熱処理装置１は、空気配管６８や分岐配管６８ａ〜６８ｄを熱処理室１２、熱風供給手段１４およびダクト１７によって構成される気体の循環流路内を熱処理室１２において発生した生成ガスが循環する構成となっている。そのため、熱処理装置１は、空気配管６８や分岐配管６８ａ〜６８ｄのうち、循環流路内に配された部分であればいかなる位置に熱交換部材９０等が装着された構成であってもよい。
【００９５】
上記実施形態の熱交換部材９０等は、いずれも空気配管６８や分岐配管６８ａ〜６８ｄとの密着性が高いが、高温の気体に晒されるものであるため、熱膨張や歪み等の影響で空気配管６８等との密着性が損なわれる可能性がある。そのため、かかる事態が想定される場合は、熱交換部材９０等を空気配管６８や分岐配管６８ａ〜６８ｄとの間に熱伝導性の高いグリス等を介在させることが望ましい。
【００９６】
上記した熱処理装置１は、換装部６と熱処理室１２との境界部分にあたる基板挿通孔４４ａに隣接する位置に分岐配管６８ａ〜６８ｄの下流端や、エアノズル６５，６６等を配し、エアカーテンＭやエアカーテンＣを形成するものであった。しかし、本発明はこれに限定されるものではなく、例えば換装部６を構成する空間のうち、ダクト１７を横切る部分、すなわち隔壁４７ａ，４７ｂで囲まれた領域内に分岐配管６８ａ〜６８ｄの下流端から空気を噴出可能な構成とすることも可能である。かかる構成によれば、換装部６内に噴出された空気流によって換装部６やこの近傍をある程度の高温に維持し、換装部６において昇華物が発生するのを防止できる。さらに、換装部６内に噴射される空気の量や速度等が所定のレベルに達していれば、換装部６内に噴射された空気によって熱処理装置１の内外を遮断し、基板Ｗの出し入れに伴って生成ガスや昇華物が漏出するのを防止できる。
【００９７】
上記実施形態では、分岐配管６８ａ〜６８ｄに対してエアノズル６５，６６やエアノズル８５，８６を装着する例を例示したが、本発明はこれに限定されるものではなく、エアノズル６５，６６やエアノズル８５，８６を装着せず、分岐配管６８ａ〜６８ｄや空気配管６８に直接エア噴出孔６７を設けた構成としてもよい。
【００９８】
また、上記実施形態では、空気配管６８を分岐配管６８ａ〜６８ｄに分岐したり、分岐配管６８ａ〜６８ｄを分岐管６９によってさらに分岐する構成を例示したが、本発明はこれに限定されるものではなく、分岐配管６８ａ〜６８ｄ等に相当する空気配管６８を独立的に設けた構成であってもよい。
【００９９】
上記実施形態では、空気配管６８内を空気が流れる構成を例示したが、本発明はこれに限定されるものではなく、空気とは別の気体が流れるものであってもよい。また、上記したように、エアカーテンＭ等を形成しない構成とする場合は、空気配管６８内を空気に変わって液体等が流れる構成であってもよい。
【０１００】
上記実施形態では、熱処理室１２の上流側にフィルタ２１を配した構成を例示したが、本発明はこれに限定されるものではなく、フィルタ２１と同様に昇華物を補足可能なフィルタを熱交換部材９０等を配した位置よりも熱風等の流れ方向下流側に設けた構成としてもよい。かかる構成とすることにより、熱交換部材９０等によって補足された昇華物が剥がれ落ちるなどしても、予期せぬ部位から漏出するなどの不具合の発生を防止することができる。
【図面の簡単な説明】
【０１０１】
【図１】本発明の一実施形態である熱処理装置を示す正面図である。
【図２】図１に示す熱処理装置の内部構造を示す破断斜視図である。
【図３】図１に示す熱処理装置の内部構造を示す平面図である。
【図４】図１に示す熱処理装置における空気配管および熱交換部材の配置の概略を示す概念図である。
【図５】図１に示す熱処理装置の正面側近傍を示す断面図である。
【図６】（ａ）は遮蔽板を示す正面図であり、（ｂ）は遮蔽板の挿通孔を介した基板の出し入れの様子を模式的に示した斜視図である。
【図７】図１に示す熱処理装置において採用されている熱交換部材を空気配管の分岐配管に装着した状態を示す斜視図である。
【図８】図７の分解斜視図である。
【図９】図７に示す熱交換部材と分岐配管との関係を示す断面図である。
【図１０】図１に示す熱処理装置の変形例における換装部近傍の構造を示す破断斜視図である。
【図１１】図１１に示す熱処理装置の変形例における換装部近傍の構造を熱処理室側から観察した状態示す破断斜視図である。
【図１２】（ａ），（ｂ）は、それぞれ図１１に示す熱処理装置の変形例において基板を出し入れする前後における基板近傍における気流の状態を模式的に示す概念図である。
【図１３】図１に示す熱処理装置の別の変形例における換装部近傍の構造を熱処理室側から観察した状態示す破断斜視図である。
【図１４】（ａ），（ｂ）は、それぞれ図１３に示す熱処理装置の変形例において基板を出し入れする前後における基板近傍における気流の状態を模式的に示す概念図である。
【図１５】図１に示す熱処理装置のさらに別の変形例における換装部近傍の構造を熱処理室側から観察した状態示す破断斜視図である。
【図１６】熱処理装置において発生する気流を模式的に示した概念図である。
【図１７】図１に示す熱処理装置における空気配管および熱交換部材の配置の変形例を示す概念図である。
【図１８】図１７に示す変形例における換装部近傍の構造を熱処理室側から観察した状態示す破断斜視図である。
【図１９】図１７に示す変形例における換装部近傍の構造および気流の状態を模式的に示す断面図である。
【図２０】図１７に示す変形例において基板を出し入れする際の基板近傍における気流の状態を模式的に示す概念図である。
【図２１】図１に示す熱処理装置の換装部近傍の構造の別の変形例を熱処理室側から観察した状態示す破断斜視図である。
【図２２】案内板を示す斜視図である。
【図２３】図２２に示す案内板を換装部近傍に設けた場合の構造を熱処理室側から観察した状態示す破断斜視図である。
【図２４】図７に示す熱交換部材の変形例を示す斜視図である。
【図２５】（ａ），（ｂ）は、それぞれ図２４に示す熱交換部材を空気配管に装着する際の装着の第一段階および第二段階を模式的に示す説明図である。
【図２６】図７に示す熱交換部材の別の変形例である熱交換部材と空気配管との管径を示す斜視図である。
【図２７】（ａ）は図７に示す熱交換部材のさらに別の変形例を示す断面図であり、（ｂ），（ｃ）はそれぞれ（ａ）に示す熱交換部材を空気配管に装着する際の装着の第一段階および第二段階を模式的に示す説明図である。
【図２８】図１に示す熱処理装置における空気配管および熱交換部材の配置の変形例の概略を示す概念図である。
【図２９】図１に示す熱処理装置における空気配管および熱交換部材の配置の別の変形例の概略を示す概念図である。
【図３０】図１に示す熱処理装置における空気配管および熱交換部材の配置のさらに別の変形例の概略を示す概念図である。
【図３１】図７に示す熱交換部材を構成する熱交換体の変形例を示す斜視図である。
【符号の説明】
【０１０２】
１  熱処理装置
６  換装部
１２  熱処理室
１４  熱風供給手段
１７  ダクト
４０  開口
４４  遮蔽板
４４ａ  基板挿通孔
６５，６６，８５，８６  エアノズル
６７  エア噴出孔
６８  空気配管
６８ａ，６８ｂ，６８ｃ，６８ｄ  分岐配管
９０，９９，１２０  熱交換部材
９１，１３０  熱交換体
９２，９８，１２１  ベース部
９３，１３１  熱交換片
１０１，１０２  案内板
Ｘ，Ｙ  領域
Ｗ  基板（被加熱物）
Ｈ  仮想平面
Ｓ  循環系統
【図１】
2006258348.tif 000003
【図２】
2006258348.tif 000004
【図３】
2006258348.tif 000005
【図４】
2006258348.tif 000006
【図５】
2006258348.tif 000007
【図６】
2006258348.tif 000008
【図７】
2006258348.tif 000009
【図８】
2006258348.tif 000010
【図９】
2006258348.tif 000011
【図１０】
2006258348.tif 000012
【図１１】
2006258348.tif 000013
【図１２】
2006258348.tif 000014
【図１３】
2006258348.tif 000015
【図１４】
2006258348.tif 000016
【図１５】
2006258348.tif 000017
【図１６】
2006258348.tif 000018
【図１７】
2006258348.tif 000019
【図１８】
2006258348.tif 000020
【図１９】
2006258348.tif 000021
【図２０】
2006258348.tif 000022
【図２１】
2006258348.tif 000023
【図２２】
2006258348.tif 000024
【図２３】
2006258348.tif 000025
【図２４】
2006258348.tif 000026
【図２５】
2006258348.tif 000027
【図２６】
2006258348.tif 000028
【図２７】
2006258348.tif 000029
【図２８】
2006258348.tif 000030
【図２９】
2006258348.tif 000031
【図３０】
2006258348.tif 000032
【図３１】
2006258348.tif 000033